(57)【要約】【課題】  近年、特に問題となっている，発揮性有機化合物による有害な化学物質を吸着除去し、生活空間の空気を綺麗にして、シックハウス症候群対策（以下、シック対策という）家具や建具、吸湿、除湿をし、また、イオン交換、遠赤外線の効果により、排泄物臭や加齢臭を取り除くことを目的とする家具及び建具を設けることにある。【解決手段】  家具（Ｘ）及び建具（Ｙ）の一部に収納部（Ｓ）を設け、該収納部に、シック対策材（１）を設け、シック対策材は袋（４）に入れるか、又は板状に固形化加工したものを、ネット状等の通気性を有するケース（２）に入れて、取り外し可能に取り付けたものであり、シック対策材は、木炭、竹炭、もみがら炭等の炭類、ゼオライト、トルマリン、セラミックから選ばれた１つ、または複数の材を組み合わせであること。【選択図】        図７
2005296513.tif 000002
【特許請求の範囲】
【請求項１】
家具及び建具の一部に収納部を設け、該収納部に、シック対策材を設けたことを特徴とするおよび家具及び建具。
【請求項２】
シック対策材を袋に入れるか、又は板状に固形化加工したものを、ネット状等の通気性を有するケースに入れて、取り外し可能に取り付けたことを特徴とする家具及び建具。
【請求項３】
シック対策材を板状に固形化加工したものを、収納部に取り外し可能に取り付けたことを特徴とする家具及び建具。
【請求項４】
シック対策材が、木炭、竹炭、もみがら炭等の炭類、ゼオライト、トルマリン、セラミックから選ばれた１つ、または複数の材を組み合わせであることを特徴とする特許請求の範囲第１項または第２項または第３項記載の家具および建具。
【発明の詳細な説明】
【技術分野】
【０００１】
この発明は、シックハウス症候群対策（以下、単に、シック対策という）を施した家具及び建具に関するものである。
【背景技術】
【０００２】
従来、家具類は有害な化学物質の発生源の一つとされており、シック対策商品の壁材や木炭をそのまま室内に置いたりして、シック対策を施していた。
【０００３】
そのため、家具類のシック対策として、塗料、木材、合板等の使用材料のうち、化学物質の発生の少ない資材を選んで使用し、家具や建具本体から化学物質の発生を抑えることしかできなかった。
【０００４】
そして、特に揮発性有機化合物による健康問題、さらに、カビ、ダニ等によるアレルギーが多く問題となっている。さらに、ペット臭、アンモニア臭、加齢臭等も含め、人間生活における健康問題が課題となっている。
【０００５】
しかし、やぐらごたつの天板や脚に防臭除湿剤として炭を収納したものは存在しているが、そのために、天板の厚みや脚を太く形成する必要があったり、電気にしろ、直火にしろ、火を扱うものであり、危険である。
【特許文献１】特開２００２−３５５１２５号公報
【発明の開示】
【発明が解決しようとする課題】
【０００６】
そこで、この発明は、近年、特に問題となっている，発揮性有機化合物による有害な化学物質を吸着除去し、生活空間の空気を綺麗にして、シックハウス症候群対策（以下、シック対策という）家具や建具、吸湿、除湿をし、また、イオン交換、遠赤外線の効果により、排泄物臭や加齢臭を取り除くことを目的とする家具及び建具を設けることにある。
【課題を解決するための手段】
【０００７】
そして、この発明は、シック対策材を、居住空間に必ず存在する，家具、建具に設けることにより、シック対策を施すものである。
【発明の効果】
【０００８】
この発明によると、家具や建具の一部に、シック対策材を取り付けており、シック対策の効果はあるし、別個に部屋に専用のグッズを置く必要がなく、便利である。
例えば、炭類の場合は、ホルムアルデヒドの吸着、ノネナール（アルデヒドの一種）加齢臭の吸着、調湿効果によるカビの発生を抑えたり、湿気を取る効果があり、さらにマイナスイオンの供給、並びに遠赤外線の供給もするものである。
【０００９】
そして、シック対策材がゼオライトの場合は、高いイオン交換作用による、アンモニア臭（排泄物臭）の消臭効果、吸湿力が高く、カビ、菌等の発生を抑える。さらに、マイナスイオンの発生効果もあり、遠赤外線の発生効果もあり、ホルムアルデヒドの吸着固定化能力もある。
【００１０】
さらに、シック対策材がトルマリンである場合、ゼオライトに吸着したカビ、菌、臭い等を分解する働きがあり、ゼオライトにトルマリンを混合することにより、長期間の吸着力を可能にする効果がある。また、ゼオライトとトルマリンを混合すると、ホルムアルデヒドやアセトアルデヒドの吸着を長期間、維持することができ、極めて有益なる効果を奏するものである。
【００１１】
そして、これらのシック対策材を、家具や建具の裏面等、通常、見えない箇所に設けるため、極めて体裁もよい。
【発明を実施するための最良の形態】
【００１２】
次に、この発明の一実施例を図面に基づいて詳述すると、家具（Ｘ）及び建具（Ｙ）の一部に収納部（Ｓ）を設け、該収納部（Ｓ）に、シック対策材（１）を通気性を有するケース（２）を介して設けたことを特徴とするものである。
【００１３】
そして、シック対策材（１）が粉状、粒状である場合には、通気性のある袋（４）に入れてからケース（２）に入れるものであり、また、これらシック対策材（１）を板状に固形化加工したものは、ネット状等の通気性を有するケース（２）に入れて、取り外し可能に取り付けるものである。
【００１４】
尚、ケース（２）は、図３、図４に示すように、通気性を有するよう通気穴（３）を多数設けたものであり、ケース（２）と家具（Ｘ）との取り付けは、例えば、家具の底部にケース（２）を挿入可能な収納部（Ｓ）である凹穴（５）を設け、該凹穴（５）の縁部に係止穴（６）を形成し、ケース（２）側に設けたバネ帯（７）を押圧して、挿入に、バネ帯（７）の付勢により着脱可能に固定するものである。
【００１５】
また、ケース（２）と家具（Ｘ）との取り付ける他の手段としては、図５に示すように、例えば、家具（Ｘ）の底部にケース（２）を挿入可能な収納部（Ｓ）である凹穴（５）を設け、該凹穴の底部に、ケース（２）を釘またはピンの固定部材（８）で固定するものである。
【００１６】
さらに、ケース（２）と家具（Ｘ）との取り付ける他の手段としては、図６に示すように、例えば、家具（Ｘ）の底部に、ケース（２）を釘またはピンの固定部材（８）で固定するものである。                                                                  
【００１７】
そして、シック対策材（１）は、木炭、竹炭、もみがら炭等の炭類、ゼオライト、トルマリン、セラミックから選ばれた１つ、または、これらの複数の組み合わせからなるものである。
【００１８】
また、家具（Ｘ）は、その一例として、図７には座卓を示し、図８には椅子、図９にはソファー、図１０にはベッド、図１１には戸棚、小物入れ、図１３にはサイドボード、そして建具（Ｙ）は、図１４に間仕切りとして示されている。
【００１９】
次に、この発明の使用方法を説明すると、炭、ゼオライト、トルマリンは社会的に常識化されているが、老人ホーム等の加齢臭や、アンモニア臭の多い場所には、炭を多く、ゼオライト、トルマリンは少なく取り付けるものである。
【００２０】
そして、新築住宅等の化学物質の多い場所には、ゼオライト、トルマリンを多く、炭を少なく取り付けるものである。
【産業上の利用可能性】
【００２１】
この発明は、シック対策材を、家具、建具に設ける製造技術および製造方法を確立し、かつ寄与する点で、産業上の利用可能性を有する。
【図面の簡単な説明】
【００２２】
【図１】この発明のシック対策材の一実施例を示し、（Ａ）は、袋に入れた状態を示す斜視図、（Ｂ）は、板状に加工した状態の斜視図である。
【図２】この発明のシック対策材を収納するケースの斜視図である。
【図３】この発明の一実施例を示し、シック対策材をケースに収納した状態を示す一欠截斜視図である。
【図４】この発明の一実施例を示す要部拡大断面図である。
【図５】この発明の他の実施例を示す要部拡大断面図である。
【図６】この発明のさらに他の実施例を示す要部拡大断面図である。
【図７】この発明の使用状態を示し、（Ａ）は、斜視図であり、（Ｂ）は、反転した状態の説明図である。
【図８】この発明の使用状態を示し、（Ａ）は、斜視図であり、（Ｂ）は、反転した状態の斜視図である。
【図９】この発明の使用状態を示し、（Ａ）は、斜視図であり、（Ｂ）は、反転した状態の斜視図である。
【図１０】この発明の使用状態を示し、（Ａ）は、斜視図であり、（Ｂ）は、反転した状態の斜視図である。
【図１１】この発明の他の実施例を示す斜視図である。
【図１２】この発明の一実施例を示し、反転した状態を示す斜視図である。この発明の一実施例を示す要部拡大断面図である。
【図１３】この発明の使用状態を示す斜視図である。
【図１４】この発明の使用状態を示す一部欠截斜視図である。
【符号の説明】
【００２３】
１  シック対策材
２  ケース
３  通気穴
４  通気性ある袋
５  凹穴
６  係止穴
７  バネ帯
８  釘またはピンの固定部材
Ｓ  収納部
Ｘ  家具
Ｙ  建具
【図１】
2005296513.tif 000003
【図２】
2005296513.tif 000004
【図３】
2005296513.tif 000005
【図４】
2005296513.tif 000006
【図５】
2005296513.tif 000007
【図６】
2005296513.tif 000008
【図７】
2005296513.tif 000009
【図８】
2005296513.tif 000010
【図９】
2005296513.tif 000011
【図１０】
2005296513.tif 000012
【図１１】
2005296513.tif 000013
【図１２】
2005296513.tif 000014
【図１３】
2005296513.tif 000015
【図１４】
2005296513.tif 000016